【手続補正書】
【提出日】平成19年8月1日(2007.8.1)
【手続補正１】
【補正対象書類名】明細書
【補正対象項目名】特許請求の範囲
【補正方法】変更
【補正の内容】
【特許請求の範囲】
【請求項１】  複数のアンテナ素子から、一つの基準用のアンテナ素子を選択し、選択された前記アンテナ素子に入力される信号を基準信号とし、前記基準信号と選択された以外のアンテナ素子に入力される比較信号との振幅、位相等の差異を求め、その差異分を補正する送信信号補正方法であって、
前記基準信号を２つ取り出し、１つは、前記比較信号の振幅、位相を求める回路と同じ処理回路を通過させ、他の一つは、前記基準信号の振幅、位相を求める回路と同じ処理回路を通過させ、２つの上記処理回路を通過したことにより生じる前記基準信号の前記振幅、前記位相の差異を求め、異なる処理回路を通過したことにより生じる誤差を補正する送信指向性補正方法。
【請求項２】  複数のアンテナ素子を有し、前記複数のアンテナの内、一つの基準用のアンテナ素子を選択し、選択された前記アンテナ素子に入力される信号を基準信号とし、前記基準信号と選択された以外のアンテナ素子に入力される比較信号との振幅、位相等の差異を求め、その差異分を補正するアンテナ装置であって、
前記比較信号の振幅、位相を求める直交復調手段１と、前記基準信号の振幅、位相を求める直交復調手段２と、前記直交復調手段１と前記直交復調手段２の出力から、前記基準信号と前記比較信号の誤差を求める振幅位相検出手段と、その誤差を制御する振幅位相制御手段とを有し、
前記基準信号は２つに分けられ、前記直交復調手段１と前記直交復調手段２の両手段で処理され、前記振幅位相検出手段で、前記２つの手段で求めた振幅、位相の差異を求め、前記振幅位相制御手段で、異なる処理回路を通過したことに生じる誤差を補正する送信指向性補正装置。
【請求項３】  ベースバンドＩ信号およびＱ信号を発生するベースバンド信号発生手段と、ローカル信号を発生するローカル信号発生手段と、ローカル信号をＮ分配する分配器と、Ｎ分配されたローカル信号の位相をそれぞれ変化させるＮ個のローカル信号位相変化手段と、ベースバンドＩ信号およびＱ信号でＮ分配されたローカル信号をそれぞれ変調しＲＦ送信信号に変換するＮ個の送信信号生成手段と、ＲＦ送信信号の振幅をそれぞれ変化させるＮ個の信号振幅変化手段と、ＲＦ送信信号の一部を１つのモニタ信号として取り出す（Ｎ−１）個の第１の信号結合手段と、ＲＦ送信信号の１部を２つのモニタ信号として取り出す第２の信号結合手段と、モニタ信号以外のＲＦ送信信号を送受信するＮ個のアンテナ素子からなるアレーアンテナと、（Ｎ−１）個の前記第１の信号結合手段の出力および前記第２の信号結合手段の１つの出力を切り替えて１つのモニタ信号を取り出す切り替
え器と、１つのモニタ信号をベースバンドＩ信号およびＱ信号に変換する第１の直交復調手段と、前記第２の信号結合手段の他の１つの出力をベースバンドＩ信号およびＱ信号に変換する第２の直交復調手段と、前記第１の直交復調手段および前記第２の直交復調手段の出力である２組のベースバンドＩ信号およびＱ信号からＮ個の送信信号の振幅および位相を検出する振幅位相検出手段と、前記振幅位相検出手段の検出結果に基づき前記ローカル信号位相変化手段と前記ＲＦ信号振幅変化手段の制御を行うことにより振幅位相を変化させる振幅位相制御手段を有することを特徴とする送信指向性補正装置。
【請求項４】  ベースバンドＩ信号およびＱ信号を発生するＮ個のベースバンド信号発生手段と、ローカル信号を発生するローカル信号発生手段と、ローカル信号をＮ分配する分配器と、Ｎ分配されたローカル信号の位相をそれぞれ変化させるＮ個のローカル信号位相変化手段と、ベースバンドＩ信号およびＱ信号でＮ分配されたローカル信号をそれぞれ変調しＲＦ送信信号に変換するＮ個の送信信号生成手段と、ＲＦ送信信号の振幅をそれぞれ変化させるＮ個の信号振幅変化手段と、ＲＦ送信信号の一部を１つのモニタ信号として取り出す（Ｎ−１）個の第１の信号結合手段と、ＲＦ送信信号の１部を２つのモニタ信号として取り出す第２の信号結合手段と、モニタ信号以外のＲＦ送信信号を送受信するＮ個のアンテナ素子からなるアレーアンテナと、（Ｎ−１）個の前記第１の信号結合手段の出力および前記第２の信号結合手段の１つの出力を切り替えて１つのモニタ信号を取り出す切り替え器と、１つのモニタ信号をベースバンドＩ信号およびＱ信号に変換する第１の直交復調手段と、前記第２の信号結合手段の他の１つの出力をベースバンドＩ信号およびＱ信号に変換する第２の直交復調手段と、前記第１の直交復調手段および前記第２の直交復調手段の出力である２組のベースバンドＩ信号およびＱ信号からＮ個の送信信号の振幅および位相を検出する振幅位相検出手段と、前記振幅位相検出手段の検出結果に基づきＮ個のベースバンド信号発生手段のＩ信号Ｑ信号の振幅制御を行うことにより振幅位相を変化させる振幅位相制御手段を有することを特徴とする送信指向性補正装置。
【請求項５】  アレーアンテナとして奇数の素子が等間隔に円周上に配置された円形アレーアンテナを有し、前記アレーアンテナの各アンテナ素子の受信信号を切り替える切り替え器と、前記切り替え器の出力信号の振幅値を測定するレベル検出手段を有し、前記振幅位相制御手段が初期状態として隣り合う２つのアンテナ素子の放射するＲＦ送信信号が同振幅逆位相となるように制御し次に前記隣り合う２つのアンテナ素子から等距離にあるアンテナ素子の受信信号を前記切り替え器が選択し前記レベル検出手段の出力振幅値が最小となるように前記振幅制御手段が振幅位相を大小微小変化させる制御を行うことを特徴とする請求項３または４に記載の送信指向性補正装置。
【請求項６】  アレーアンテナとして複数の素子が半波長間隔で直線上に配置された直線アレーアンテナを有し、前記アレーアンテナの各アンテナ素子の受信信号を切り替える切り替え器と、前記切り替え器の出力信号の振幅値を測定するレベル検出手段を有し、前記振幅位相制御手段が初期状態として隣り合う２つのアンテナ素子の放射するＲＦ送信信号が同振幅同位相となるように制御し次に前記隣り合う２つのアンテナ素子に隣接するアンテナ素子の受信信号を前記切り替え器が選択し前記レベル検出手段の出力振幅値が最小となるように前記振幅制御手段が振幅位相を大小微小変化させる制御を行うことを特徴とする請求項３または４に記載の送信指向性補正装置。
【請求項７】  複数のアンテナ素子を有するアレーアンテナと、前記複数のアンテナ素子から等距離に設置され、前記アレーアンテナの各ＲＦ送信信号を受信するモニタアンテナと、前記モニタアンテナの受信信号の振幅値を測定するレベル検出手段を有し、前記振幅位相制御手段が初期状態として任意の２つの前記アレーアンテナのアンテナ素子の放射するＲＦ送信信号が同振幅逆位相となるように制御し、次に前記モニタアンテナが受信した前記任意の２つのアンテナ素子からのＲＦ送信信号を前記レベル検出手段の検出振幅値が最小となるように前記振幅制御手段が振幅位相を大小微小変化させる制御を行うことを特徴とする請求項３または４に記載の送信指向性補正装置。
【請求項８】  前記振幅位相制御手段が初期状態として隣り合う２つのアンテナ素子の放射するＲＦ送信信号が同振幅逆位相となるように制御し、前記アレーアンテナの隣接す
る２素子から等距離に設置した試験対向アンテナで受信した受信信号の振幅が最小となるように振幅位相を大小微小変化させる制御を行うことを特徴とする請求項３または４に記載の送信指向性補正装置。
【請求項９】  前記振幅位相制御手段が初期状態として隣り合う２つのアンテナ素子の放射するＲＦ送信信号が同振幅逆位相となるように制御した時の振幅位相検出手段の出力と、次に前記レベル検出手段の出力振幅値が最小となるように振幅位相を大小微小変化させる制御をしたときの振幅位相検出手段の出力との差を補正値として振幅位相制御手段が振幅位相を制御することを特徴とする請求項５から８のいずれかに記載の送信指向性補正装置。
【請求項１０】  前記振幅位相制御手段が初期状態として隣り合う２つのアンテナ素子の放射するＲＦ送信信号が同振幅逆位相となるように制御した時の振幅位相検出手段の出力と、次に前記レベル検出手段の出力振幅値が最小となるように振幅位相を大小微小変化させる制御をしたときの振幅位相検出手段の出力との差を補正値データとして保持するデータ保持手段を有し、前記振幅位相制御手段がデータ保持手段の保持されたデータに基づき補正を行い振幅位相制御を行うことを特徴とする請求項８に記載の送信指向性補正装置。